(57)【要約】【課題】  タイマを使用せず、ＬＡＮ端末側から無線通信回線の切断を要求して迅速に切断でき、また、他に通信中の端末があればそのまま回線を維持でき、通信の信頼性を損なうことなく無線通信回線を効率的に利用できる通信システムを提供する。【解決手段】  無線端末アダプタとＬＡＮ端末（イーサネット装置）とに、回線切断用ＩＰアドレスを記憶しておき、無線端末アダプタが、接続するＬＡＮ端末のＩＰアドレスと通信状態（通信／非通信）とを記憶し、ＬＡＮ端末が、サーバとの通信完了時に回線切断用ＩＰアドレスを送信先とするパケットを送信し、無線端末アダプタが、ＬＡＮ端末から送信先アドレスが回線切断用ＩＰアドレスであるパケットを受信すると、送信元のＬＡＮ端末の通信状態を「非通信」として更新し、全てのＬＡＮ端末の通信状態が「非通信」であれば、無線端末アダプタとサーバとの間の無線回線を切断する処理を行う通信システムとしている。【選択図】        図７
2012186697.tif 000002
【特許請求の範囲】
【請求項１】
無線回線を介してサーバに接続する無線端末と、ＬＡＮ回線に接続されるＬＡＮ端末と、前記無線端末と前記ＬＡＮ端末に接続し、前記ＬＡＮ端末と前記サーバとのデータ通信を実現する無線端末アダプタとを備えた通信システムであって、
前記ＬＡＮ端末と前記無線端末アダプタが、予め回線切断用のＩＰアドレスを記憶しておき、
前記ＬＡＮ端末が、前記サーバとの通信が完了すると、前記回線切断用のＩＰアドレスを送信先アドレスとするパケットを前記無線端末アダプタに送信し、
前記無線端末アダプタが、接続される全てのＬＡＮ端末のＩＰアドレスと「通信」又は「非通信」の通信状態とを記憶し、ＬＡＮ端末から前記サーバのＩＰアドレスを送信先とするパケットを受信すると、当該パケットの送信元のＬＡＮ端末の通信状態を「通信」として更新し、ＬＡＮ端末から前記回線切断用のＩＰアドレスを送信先とするパケットを受信すると、当該パケットの送信元のＬＡＮ端末の通信状態を「非通信」として更新すると共に、記憶されている全てのＬＡＮ端末の通信状態が「非通信」であれば、無線回線を切断する処理を行うことを特徴とする通信システム。
【発明の詳細な説明】
【技術分野】
【０００１】
本発明は、無線通信ネットワークに接続するサーバとＬＡＮ（Local Area Network）端末との通信を行う通信システムに係り、特に通信切断時の処理を迅速に行って無線回線を効率的に利用できる通信システムに関する。
【背景技術】
【０００２】
［先行技術の説明］
従来、イーサネット（Ethernet；登録商標）のインタフェースを備えたイーサネット装置と、Ｗ−ＣＤＭＡ（Wide band Code Division Multiple Access）等のパケット通信ネットワークの携帯端末とを接続し、パラレル（イーサネット）−シリアル変換を行う装置として、ダイヤルアップルータが知られている。
【０００３】
ダイヤルアップルータは、回線接続機能や、ＰＰＰ（Point to Point Protocol）機能を備え、ＩＳＰ（Internet Service Provider）への接続処理や、イーサネット装置とサーバ間のアドレス変換処理を行うものである。
無線端末アダプタを用いることにより、イーサネット装置は、パケット通信網を介してサーバとの通信を行うことができるものである。
【０００４】
ところで、携帯電話のパケット通信ネットワークは、セキュリティを確保するために、アクセスポイント毎に設けられた仮想閉域網（Virtual Private Network；ＶＰＮ）と呼ばれるネットワークで運用されることが多い。
【０００５】
［仮想閉域網を備えたシステムの概要：図８］
ここで、仮想閉域網を備えた通信ネットワークについて図８を用いて説明する。図８は、仮想閉域網を備えた通信ネットワークの概念を示す説明図である。
図８の通信ネットワークは、サーバαと、サーバβと、パケット通信ネットワークと、ダイヤルアップルータ２０と、イーサネット装置ａと、イーサネット装置ｂとを備えている。
パケット通信ネットワークは、アクセスポイントＡを有しサーバαに接続する仮想閉域網Ａと、アクセスポイントＢを有しサーバβに接続する仮想閉域網Ｂとを備え、イーサネット装置と各仮想閉域網とがダイヤルアップルータ２０で接続されている。
【０００６】
ダイヤルアップルータ２０は、イーサネットを介してイーサネット装置ａ及びイーサネット装置ｂと通信を行うと共に、アクセスポイントＡ、アクセスポイントＢに接続して、パケット通信ネットワークの仮想閉域網を介してサーバα、サーバβと通信を行う。尚、ダイヤルアップルータ２０の無線通信部は１回線である。
【０００７】
各仮想閉域網（アクセスポイント）とイーサネット装置とは１対１に対応しており、ダイヤルアップルータ２０は、仮想閉域網とイーサネット装置との対応付けを記憶している。
仮想閉域網Ａは、イーサネット装置ａに対応しており、イーサネット装置ａがサーバαと通信を行う場合には、ダイヤルアップルータ２０は、アクセスポイントＡに接続してサーバαとパケット通信を行う。同様に、仮想閉域網Ｂはイーサネット装置ｂに対応している。
【０００８】
仮想閉域網Ａと仮想閉域網Ｂは、同じパケット通信ネットワーク上にあっても、それぞれ独立しており、これらの間のアクセスは禁止されている。
従って、イーサネット装置ａがダイヤルアップルータ２０で仮想閉域網Ａのサーバαに接続した場合、ダイヤルアップルータ２０が仮想閉域網Ａに接続している間は、イーサネット装置ｂとサーバβとは通信できないものである。
【０００９】
［ダイヤルアップルータによるアドレス変換：図９］
次に、ダイヤルアップルータによるアドレス変換（マスカレード機能）について図９を用いて説明する。図９は、ダイヤルアップルータによるアドレス変換を示す説明図である。
図９では、サーバ１０と、ダイヤルアップルータ２０と、イーサネット装置３０とが通信を行う場合を示している。
図９に示すように、イーサネット装置３０とダイヤルアップルータ２０との間は、ＬＡＮ通信が行われる区間であり、ダイヤルアップルータ２０とサーバ１０との間は、無線通信が行われる区間である。
サーバ１０、ダイヤルアップルータ２０、イーサネット装置３０にはそれぞれ、ＩＰアドレスが付与されている。
【００１０】
そして、イーサネット装置３０は、サーバ１０宛のＬＡＮパケットを送信する際には、送信元にイーサネット装置３０のＩＰアドレスを、送信先にサーバ１０のＩＰアドレスを書き込んだＬＡＮパケットを送信する。
ダイヤルアップルータ２０は、当該ＬＡＮパケットを受信すると、送信元を自己の（ダイヤルアップルータ２０の）ＩＰアドレスに変換して、無線通信ネットワークを介してサーバ１０に無線パケットを送信する。
【００１１】
また、ダイヤルアップルータ２０は、サーバ１０から自己宛の無線パケットを受信した場合には、アクセスポイント名から対応するイーサネット装置３０を特定し、送信先のＩＰアドレスを、当該イーサネット装置３０のＩＰアドレスに変換してＬＡＮパケットを生成し、イーサネットで送信する。
【００１２】
尚、複数のイーサネット装置３０が同一のアクセスポイントを介して同一のサーバ１０に接続する場合には、サーバ１０において各イーサネット装置３０を識別する情報を備え、サーバ１０からイーサネット装置３０に対してのパケットには当該識別情報が含まれ、ダイヤルアップルータは識別情報に基づいてイーサネット装置３０を特定し、アドレス変換を行う。
このようにして、ダイヤルアップルータ２０のアドレス変換が行われるものである。
【００１３】
［従来の通信システムにおける切断時の処理：図１０］
ここで、従来の通信システムにおける切断時の処理について図１０を用いて説明する。図１０は、従来の通信システムにおける通信の概略を示すシーケンス図である。
図１０に示すように、従来の通信システムは、イーサネット装置と、無線端末アダプタと、無線端末と、サーバとを備えている。尚、無線端末アダプタと無線端末とを含む構成が図８，９に示したダイヤルアップルータ２０に相当するものである。
そして、従来の通信システムでは、無線端末アダプタに無線通信監視タイマを備え、通信完了後、一定時間以上送受信が為されないと、無線通信を切断するようになっていた。
【００１４】
図１０に示すように、イーサネット装置からＳＹＮパケットによる通信要求（４００）があると、無線端末アダプタは当該要求を無線端末に送出し（４０２）、無線端末から応答があると（４０４）、サーバと無線端末アダプタ間のＰＰＰ接続処理が行われ、無線端末アダプタは、ＳＹＮパケットをサーバに送信し（４０６）、サーバは、ＳＹＮパケットを受信すると、無線端末アダプタにＳＹＮ＋ＡＣＫを応答する（４０８）。
【００１５】
無線端末アダプタが、ＳＹＮ＋ＡＣＫをイーサネット装置に送信し（４１０）、イーサネット装置からＡＣＫを受信して（４１２）、それをサーバに送信すると（４１４）、イーサネット装置とサーバとの間でデータ通信が行われる状態となる。
【００１６】
そして、イーサネット装置から通信完了を示すＦＩＮパケットが送信されると（４１６）、無線端末アダプタは、それを受信してサーバに送信し（４１８）、サーバからのＡＣＫを受信すると（４２０）、無線通信監視タイマを起動して計時を開始し、イーサネット装置にＡＣＫを送信する（４２２）。
【００１７】
そして、パケットの送受信がないまま無線通信監視タイマがタイムアップした場合には、無線端末アダプタは、まず、ＬＡＮ区間のＰＰＰ切断を行い、次にサーバ−無線端末アダプタ間の無線区間の切断処理を行って（４２４〜４２８）、サーバ−無線端末アダプタ間の切断が完了する。
このようにして、従来の通信システムにおける切断の処理が行われる。
【００１８】
このように、従来の通信システムでは、無線通信監視タイマに基づいて無線端末アダプタ無線通信端末間の通信切断を行うため、イーサネット装置から主体的に切断を行うことができない。
また、無線端末アダプタの無線回線は１回線であるため、無線回線の有効利用を図るために無線通信監視タイマの監視時間を短く設定して運用することが多い。
【００１９】
［関連技術］
尚、通信システムに関する技術としては、特開２０１０−６８３６５号公報「無線通信装置」（株式会社日立国際電気、特許文献１）がある。
特許文献１には、無線端末アダプタを備え、ＬＡＮを介して複数のデータ端末装置と接続すると共に、無線通信を介して各データ端末装置に対応するサーバに接続可能な無線通信装置が、データ端末装置の優先順位を記憶しておき、優先順位に応じてデータ端末とサーバとの通信を制御することが記載されている。
【先行技術文献】
【特許文献】
【００２０】
【特許文献１】特開２０１０−６８３６５号公報
【発明の概要】
【発明が解決しようとする課題】
【００２１】
しかしながら、従来の通信システムでは、通信中のイーサネット装置側から主体的に無線通信回線を切断することができず、無線通信監視タイマが満了するまでは他のイーサネット装置が他のアクセスポイントに接続できず不便であり、また、無線通信監視タイマの監視時間を短く設定すると、意図しない場合にも回線が切断されてしまうといった不具合が発生しやすいという問題点があった。
【００２２】
本発明は上記実状に鑑みて為されたもので、無線通信監視タイマを使用せずに、イーサネット装置側から無線通信回線の切断を要求して迅速に切断することができ、また、他のイーサネット装置が通信中であれば、回線を切断せず通信を維持することができ、通信の信頼性を維持すると共に無線通信回線を効率的に利用することができる通信システムを提供することを目的とする。
【課題を解決するための手段】
【００２３】
上記従来例の問題点を解決するための本発明は、無線回線を介してサーバに接続する無線端末と、ＬＡＮ回線に接続されるＬＡＮ端末と、無線端末とＬＡＮ端末に接続し、ＬＡＮ端末とサーバとのデータ通信を実現する無線端末アダプタとを備えた通信システムであって、ＬＡＮ端末と無線端末アダプタが、予め回線切断用のＩＰアドレスを記憶しておき、ＬＡＮ端末が、サーバとの通信が完了すると、回線切断用のＩＰアドレスを送信先アドレスとするパケットを無線端末アダプタに送信し、無線端末アダプタが、接続される全てのＬＡＮ端末のＩＰアドレスと「通信」又は「非通信」の通信状態とを記憶し、ＬＡＮ端末からサーバのＩＰアドレスを送信先とするパケットを受信すると、当該パケットの送信元のＬＡＮ端末の通信状態を「通信」として更新し、ＬＡＮ端末から回線切断用のＩＰアドレスを送信先とするパケットを受信すると、当該パケットの送信元のＬＡＮ端末の通信状態を「非通信」として更新すると共に、記憶されている全てのＬＡＮ端末の通信状態が「非通信」であれば、無線回線を切断する処理を行うことを特徴としている。
【発明の効果】
【００２４】
本発明によれば、無線回線を介してサーバに接続する無線端末と、ＬＡＮ回線に接続されるＬＡＮ端末と、無線端末とＬＡＮ端末に接続し、ＬＡＮ端末とサーバとのデータ通信を実現する無線端末アダプタとを備えた通信システムであって、ＬＡＮ端末と無線端末アダプタが、予め回線切断用のＩＰアドレスを記憶しておき、ＬＡＮ端末が、サーバとの通信が完了すると、回線切断用のＩＰアドレスを送信先アドレスとするパケットを無線端末アダプタに送信し、無線端末アダプタが、接続される全てのＬＡＮ端末のＩＰアドレスと「通信」又は「非通信」の通信状態とを記憶し、ＬＡＮ端末からサーバのＩＰアドレスを送信先とするパケットを受信すると、当該パケットの送信元のＬＡＮ端末の通信状態を「通信」として更新し、ＬＡＮ端末から回線切断用のＩＰアドレスを送信先とするパケットを受信すると、当該パケットの送信元のＬＡＮ端末の通信状態を「非通信」として更新すると共に、記憶されている全てのＬＡＮ端末の通信状態が「非通信」であれば、無線回線を切断する処理を行う通信システムとしているので、ＬＡＮ端末側から無線回線の切断を要求して迅速に切断することができると共に、他に通信中のＬＡＮ端末がある場合には、無線回線を切断せずに通信を維持することができ、通信の信頼性を損なうことなく無線回線を効率的に利用することができる効果がある。
【図面の簡単な説明】
【００２５】
【図１】本発明の実施の形態に係る通信システムの概略構成ブロック図である。
【図２】複数のイーサネット装置を備えた場合の本通信システムの概略構成図である。
【図３】本通信システムの無線端末アダプタ４の構成ブロック図である。
【図４】無線端末アダプタ４のＲＡＭ部に記憶されている情報を示す説明図である。
【図５】本通信システムにおけるシーケンスを示すシーケンス図である。
【図６】複数のイーサネット装置が無線端末アダプタに接続されている場合のシーケンス例を示すシーケンス図である。
【図７】無線端末アダプタにおける処理を示すフローチャートである。
【図８】仮想閉域網を備えた通信ネットワークの概念を示す説明図である。
【図９】ダイヤルアップルータによるアドレス変換を示す説明図である。
【図１０】従来の通信システムにおける通信の概略を示すシーケンス図である。
【発明を実施するための形態】
【００２６】
本発明の実施の形態について図面を参照しながら説明する。
［実施の形態の概要］
本発明の実施の形態に係る通信システムは、無線回線切断用のＩＰアドレスを無線端末アダプタ及びイーサネット装置に記憶しておくと共に、無線端末アダプタが、自己に接続されるイーサネット装置のＩＰアドレス及び各イーサネット装置の通信状態（通信又は非通信）を記憶しておき、イーサネット装置が、サーバとの通信完了時に無線回線切断用のＩＰアドレスを送信先とするパケットを送信し、無線端末アダプタが、通信中のイーサネット装置から無線回線切断用のＩＰアドレスを受信した場合には、当該イーサネット装置の通信状態を非通信にすると共に、他のイーサネット装置の通信状態を確認して、全てのイーサネット装置の通信状態が非通信であった場合に、サーバ−無線端末アダプタ間の無線通信を切断するものであり、無通信監視タイマを用いることなく、通信中のイーサネット装置から主体的且つ迅速に無線通信を切断することができ、無線通信回線を効率的に利用することができ、また、他に通信中のイーサネット装置があれば、そのまま通信を維持できるものである。
【００２７】
［実施の形態に係る通信システムの構成］
本発明の実施の形態に係る通信システム（本通信システム）を含む全体の構成は、図８に示した通信システムと同様であり、パケット通信ネットワークの仮想閉域網を用いてサーバとイーサネット装置との通信を実現するものである。
但し、ダイヤルアップルータとイーサネット装置の構成及び動作が一部従来とは異なっている。
【００２８】
本通信システムの構成について図１を用いて説明する。図１は、本発明の実施の形態に係る通信システムの概略構成ブロック図である。
図１に示すように、本通信システムは、無線端末３と、無線端末アダプタ４と、イーサネット装置５とを備え、無線通信回線を介して基地局２に接続し、サーバ１との通信を行う。尚、無線端末３と無線端末アダプタ４とを備えた構成が、図８，９のダイヤルアップルータに相当している。
また、イーサネット装置５は、請求項に記載したＬＡＮ端末に相当する。
【００２９】
無線端末３は、アンテナを備え、パケット通信ネットワークを介して基地局２と無線通信を行う。
イーサネット装置５は、例えば、自動販売機等の外部機器であり、イーサネット回線を介して無線端末アダプタ４に接続し、サーバ１との通信を行う。
そして、本通信システムの特徴として、イーサネット装置５は、予め無線回線切断用の特定のＩＰアドレスを記憶しておき、サーバ１との通信が完了した場合には、自発的に当該回線切断用のＩＰアドレスを無線端末アダプタ４に送信するものである。
【００３０】
無線端末アダプタ４は、イーサネット装置５とサーバ１との通信を実現するための各種処理を行うものであり、シリアルインタフェース及びイーサネットインタフェースを備え、無線端末３とシリアル通信を行うと共に、イーサネット回線を介してイーサネット装置５と通信を行う。
サーバ１とイーサネット装置５とが通信を行う場合、無線端末アダプタ４は、ＩＰアドレスの変換や、シリアル−イーサネットの変換を行い、無線端末２の制御も行う。
また、本通信システムの特徴として、無線端末アダプタ４は、通信中のイーサネット装置５から送信先アドレスが回線切断用のＩＰアドレスであるパケットを受信すると、無線回線切断処理を開始する。無線端末アダプタ４の構成及び動作については後述する。
【００３１】
［複数のイーサネット装置に接続する場合：図２］
次に、無線端末アダプタ４が、複数のイーサネット装置に接続する場合の本通信システムの構成について図２を用いて説明する。図２は、複数のイーサネット装置を備えた場合の本通信システムの概略構成図である。
図２に示すように、複数のイーサネット装置５（イーサネット装置５-1，５-2，...，５-n）を備えるシステムでは、無線端末アダプタ４にハブ５１を接続し、各イーサネット装置５-1，５-2，...，５-nはハブ５１を介して通信端末アダプタ４に接続するようになっている。
【００３２】
ハブ５１は、無線端末アダプタ４のイーサネットインタフェースに接続されるイーサネットを複数に分岐するものである。
尚、図２の構成の場合、複数のイーサネット装置５が同一のサーバ１に接続されるようにしてもよい。
【００３３】
［無線端末アダプタ４の構成：図３］
次に、本通信システムの無線端末アダプタ４の構成について図３を用いて説明する。図３は、本通信システムの無線端末アダプタ４の構成ブロック図である。
図３に示すように、無線端末アダプタ４は、制御部４１と、入出力部４２と、入出力部４３と、ＲＯＭ部４４と、ＲＡＭ部４５とを備えている。
【００３４】
入出力部４２は、シリアルインタフェース部であり、無線端末３に対する入出力を行う。
入出力部４３は、イーサネットインタフェース部であり、イーサネット装置５に対する入出力を行う。
【００３５】
ＲＯＭ部４４は、制御部４１における処理プログラムを記憶している。
ＲＡＭ部４５は、データや各種パラメータ等を記憶している。従来と同様に、ＲＡＭ部４５には、予め当該無線端末アダプタ４に接続するイーサネット装置５のＩＰアドレスや対応するアクセスポイントが記憶されている。
更に、本無線端末アダプタ４の特徴として、ＲＡＭ部４５には、回線切断用の特定のアドレス（切断用ＩＰアドレス）と、各イーサネット装置５の通信状態（「通信」又は「非通信」）を記憶している。
尚、ＲＡＭ部４５は、請求項に記載した記憶部に相当する。
【００３６】
制御部４１は、本無線端末アダプタ４全体の制御を行う。
また、本無線端末アダプタ４の特徴部分として、制御部４１は、通信中のイーサネット装置５から、予めＲＡＭ部４５に記憶されている回線切断用のアドレスを受信した場合には、無線回線切断の処理を行う。制御部４１の処理については後で説明する。
【００３７】
［イーサネット装置５の構成及び動作］
イーサネット装置５は、少なくとも、制御部と、記憶部と、イーサネットインタフェース部とを備え、無線端末アダプタ４を介してサーバ１と通信を行う。
そして、本通信システムの特徴として、記憶部には無線端末アダプタ４と同じ切断用ＩＰアドレスが記憶されている。
【００３８】
そして、イーサネット装置５の制御部は、サーバ１との通信が完了すると、切断用ＩＰアドレスを送信先とするパケットを生成して、無線端末アダプタ４に送信する。
イーサネット装置５の制御部は、サーバ１への切断要求（ＦＩＮ）送信（図１０の処理４１６）後、サーバ１からのＡＣＫを受信（図１０の処理４２２）することにより、サーバ１との通信が完了したと判断し、切断用ＩＰアドレスを送信先とするパケットを送信する。
【００３９】
［ＲＡＭ部４５に記憶される情報：図４］
次に、本無線端末アダプタ４のＲＡＭ部４５に記憶されている情報について図４を用いて説明する。図４は、無線端末アダプタ４のＲＡＭ部に記憶されている情報を示す説明図である。
図４に示すように、本無線端末アダプタ４のＲＡＭ部４５には、予め、切断用ＩＰアドレスが記憶されている。
切断用ＩＰアドレスは、無線回線の切断を指示するものである。図４の例では、切断用ＩＰアドレスとして、「9.8.7.6」が記憶されている。
【００４０】
更に、本無線端末アダプタ４のＲＡＭ部４５には、当該無線端末アダプタ４に接続するイーサネット装置５のＩＰアドレスと、各イーサネット装置５の通信状態が記憶されている。ここでは、通信状態は「通信」又は「非通信」として記憶されている。
イーサネット装置５のＩＰアドレスは予め記憶されており、システム運用状態になると、各イーサネット装置５の通信状態が記憶される。尚、デフォルトの通信状態（非通信）を予め記憶しておいてもよい。
【００４１】
そして、無線端末アダプタ４の制御部４１が、各イーサネット装置５からのパケットを監視し、送信先がサーバ１であるパケットを受信すると、送信元のイーサネット装置５の通信状態を「通信」としてＲＡＭ部４５に記憶し、送信先が切断用ＩＰアドレスであるパケットを受信すると、送信元のイーサネット装置５の通信状態を「非通信」として更新する。
【００４２】
［無線端末アダプタ４の動作］
次に、本無線端末アダプタ４の動作の概要について説明する。
無線端末アダプタ４は、図１０に示したシーケンスにより、イーサネット装置５からサーバ１への接続要求を受信すると、ＲＡＭ部４５に記憶された当該イーサネット装置５の通信状態を「通信」とする。そして、通信状態にあるイーサネット装置５から、送信先が切断用ＩＰアドレス以外のパケットを受信すると、パケットに従って処理を行う。
尚、接続要求に限らず、送信先アドレスがサーバ１のＩＰアドレスであった場合には、当該イーサネット装置５の通信状態を「通信」としてもよい。
【００４３】
また、無線端末アダプタ４は、通信状態にあるイーサネット装置５から、送信先が切断用ＩＰアドレスであるパケットを受信すると、当該イーサネット装置５の通信状態を「非通信」とする。
そして、無線端末アダプタ４は、全てのイーサネット装置５の通信状態が「非通信」となっていれば、無線端末アダプタ４とサーバ１との間の無線回線を切断する。
【００４４】
本通信システムの特徴として、無線端末アダプタ４は、通信状態が「通信」となっているイーサネット装置５が１台でもあれば、無線回線を切断せず、そのまま維持する。
これは、複数のイーサネット装置５が同時に同一のサーバ１に接続している場合に、ある１つのイーサネット装置５からの回線切断要求によって他のイーサネット装置５の通信を切断してしまうのを防ぐためであり、これによって通信の信頼性を維持できるものである。
【００４５】
［本通信システムにおけるシーケンス：図５］
次に、本通信システムにおけるシーケンスについて図５を用いて説明する。図５は、本通信システムにおけるシーケンスを示すシーケンス図である。図５では、無線端末アダプタ４にイーサネット装置５が１台のみ接続されている場合を示している。
尚、無線端末アダプタ４にイーサネット装置５が１台しか接続されていない場合には、イーサネット装置５の通信状態を記憶しなくてもよい。
【００４６】
図５に示すように、予め、回線切断用ＩＰアドレスとして「9.8.7.6」を無線端末アダプタ４とイーサネット装置５とに設定する（１００）。
また、無線端末アダプタ４にイーサネット装置５のＩＰアドレスを登録する（１０２）。
【００４７】
そして、図１０に示した通信開始のシーケンスを行って、イーサネット装置５とサーバ１とが通信状態になると、無線端末アダプタ４は、イーサネット装置５から受信するパケットを監視し、パケットの送信先ＩＰアドレスとして、「9.8.7.6」以外のＩＰアドレスが設定されている場合には、無線通信回線を介してサーバにパケットを送信する（１０６）。
【００４８】
また、送信先ＩＰアドレスとして、「9.8.7.6」が設定されている場合には、無線端末アダプタ４は、サーバ−無線端末アダプタ間ＰＰＰ切断処理を行って（１１０，１１２，１１４）サーバ−無線端末アダプタ間ＰＰＰ切断が完了する。
つまり、本通信システムの無線端末アダプタ４は、通信中のイーサネット装置５から、回線切断用ＩＰアドレスを受信すると、無線回線を切断する処理を行う。
【００４９】
［複数のイーサネット装置が接続されている場合：図６］
次に、図２に示したように、複数のイーサネット装置５が無線端末アダプタ４に接続されている場合のシーケンスの例について図６を用いて説明する。図６は、複数のイーサネット装置が無線端末アダプタに接続されている場合のシーケンス例を示すシーケンス図である。
図６では、イーサネット装置Ｎｏ．１とイーサネット装置Ｎｏ．２の２台のイーサネット装置がハブ５１を介して無線端末アダプタ４に接続されている場合のシーケンスを示しており、イーサネット装置Ｎｏ．１とイーサネット装置Ｎｏ．２とは、同一のサーバ１に接続するものとしている。
【００５０】
まず、無線端末アダプタ４と、イーサネット装置Ｎｏ．１とイーサネット装置Ｎｏ．２に、回線切断用ＩＰアドレスとして、「9.8.7.6」を登録しておく（２００）。また、イーサネット装置Ｎｏ．１及びＮｏ．２のＩＰアドレスを無線端末アダプタ４に登録しておく（２０２）。
【００５１】
無線端末アダプタ４は、ＲＡＭ部４５に記憶されているイーサネット装置Ｎｏ．１、Ｎｏ．２の通信状態を「非通信」とする（２０４）。
そして、図１０に示した通信開始のシーケンスを行って、各イーサネット装置５とサーバ１とが通信状態になる。ここでは、イーサネット装置Ｎｏ．１、Ｎｏ．２が共に通信状態となったことを示している。
イーサネット装置Ｎｏ．１、Ｎｏ．２が通信状態になると、無線端末アダプタ４は、ＲＡＭ部４５に記憶されているイーサネット装置Ｎｏ．１、Ｎｏ．２の通信状態をどちらも「通信」にする（２０６）。
【００５２】
無線端末アダプタ４は、イーサネット装置Ｎｏ．１、Ｎｏ．２からのパケットを監視する。イーサネット装置Ｎｏ．１が、サーバ１との通信を完了して送信先ＩＰアドレスが「9.8.7.6」であるパケットを送信すると（２０８）、無線端末アダプタ４は、イーサネット装置Ｎｏ．１の通信状態を「非通信」とする（２１０）。しかし、この時点では、イーサネット装置Ｎｏ．２が通信状態であるため、無線端末アダプタ４は、無線回線の切断処理は行わない。
【００５３】
その後、イーサネット装置Ｎｏ．１から送信先がサーバ宛のＩＰパケットが送信されると（２１２）、無線端末アダプタ４は、イーサネット装置Ｎｏ．１の通信状態を「通信」として更新する（２１４）。
【００５４】
そして、イーサネット装置Ｎｏ．２が、サーバ１との通信が完了して送信先ＩＰアドレスが「9.8.7.6」であるパケットを送信すると（２１６）、無線端末アダプタ４は、イーサネット装置Ｎｏ．２の通信状態を「非通信」とする（２１８）。このときは、イーサネット装置Ｎｏ．１の通信状態が「通信」であるため、無線端末アダプタ４は無線回線の切断処理を行わない。
【００５５】
その後、再びイーサネット装置Ｎｏ．１とサーバ１との通信が完了して、イーサネット装置Ｎｏ．１が送信先ＩＰアドレスが「9.8.7.6」であるパケットを送信すると（２２０）、無線端末アダプタ４は、イーサネット装置Ｎｏ．１の通信状態を「非通信」とする（２２２）。
【００５６】
無線端末アダプタ４は、登録されている全てのイーサネット装置５の通信状態が「非通信」となったことを確認し、まず、ＬＡＮ区間のＰＰＰ切断を行い、次に、サーバ−無線端末アダプタ間のＰＰＰ切断処理を行って（２２４，２２６，２２８）、サーバ−無線端末アダプタ間のＰＰＰ切断が完了する。
【００５７】
このように、本通信システムでは、サーバ１との通信完了時に、イーサネット装置５から主体的に切断要求として回線切断用ＩＰアドレスを送信先とするパケットを送信することにより、無線端末アダプタ４は、迅速に切断処理を行うことができ、無線回線の有効利用を図ることができるものである。
【００５８】
また、複数のイーサネット装置５が同一のサーバ１に接続する場合には、回線切断用ＩＰアドレスを受信すると、送信元のイーサネット装置５の通信状態を「非通信」とした後、他のイーサネット装置５の通信状態を確認し、全てのイーサネット装置５の通信状態が「非通信」の場合に限って無線回線の切断処理を行うようにしており、通信状態にある他のイーサネット装置５の通信を維持することができるものである。
つまり、本通信システムでは、無線端末アダプタ４が回線切断用ＩＰアドレスを受信した場合でも、他に通信中のイーサネット装置があれば、無線回線は切断せずシステムとしての通信は維持されるものである。
【００５９】
［無線端末アダプタにおける処理：図７］
次に、無線端末アダプタの制御部４３における処理について図７を用いて説明する。図７は、無線端末アダプタにおける処理を示すフローチャートである。
図７に示すように、無線端末アダプタの制御部４３は、イーサネット装置５からのＩＰパケットを受信すると（３００）、送信先アドレスがサーバのＩＰアドレスかどうかを判断し（３０２）、サーバのＩＰアドレスであれば（Yesの場合）、当該イーサネット装置５の通信状態を「通信」にする（３０４）。そして、無線端末アダプタ４は、受信パケットに応じた処理を行う（３２０）。
【００６０】
また、処理３０２で、送信先アドレスがサーバのＩＰアドレスではなかった場合（Noの場合）、無線端末アダプタ４は、送信先アドレスが回線切断用ＩＰアドレスであるかどうかを判断し、回線切断用ＩＰアドレスではなかった場合（Noの場合）、処理３２０に移行する。
【００６１】
また、処理３０６で、送信先アドレスが回線切断用ＩＰアドレスであった場合（Yesの場合）、無線端末アダプタ４は、当該イーサネット装置５の通信状態を「非通信」にする（３０８）。
そして、無線端末アダプタ４は、ＲＡＭ部４５に記憶されている通信状態を参照して、全てのイーサネット装置５が非通信状態であるかどうかを確認して、全てのイーサネット装置５が非通信状態でない場合には、処理３００に戻って次のパケットを待ち受ける。
【００６２】
処理３１０で、全てのイーサネット装置５が非通信状態であった場合には、無線端末アダプタ４は、無線端末アダプタ−サーバ間のＰＰＰ切断処理を実施し（３１２）、無線回線が切断される。
このようにして、無線端末アダプタ４における処理が行われる。
【００６３】
［実施の形態の効果］
本発明の実施の形態に係る通信システムによれば、無線端末アダプタ４とイーサネット装置５とに、回線切断用ＩＰアドレスを記憶しておくと共に、無線端末アダプタ４が、接続する全てのイーサネット装置５のＩＰアドレスと通信状態とをＲＡＭ部４５に記憶し、イーサネット装置５が、サーバ１との通信完了時に、回線切断用ＩＰアドレスを送信先とするパケットを無線端末アダプタ４に送信し、無線端末アダプタ４が、イーサネット装置５から送信先アドレスがサーバ１であるパケットを受信すると、当該送信元のイーサネット装置５の通信状態を「通信」として更新し、イーサネット装置５から送信先アドレスが回線切断用ＩＰアドレスであるパケットを受信すると、当該送信元のイーサネット装置５の通信状態を「非通信」として更新し、全てのイーサネット装置５の通信状態が「非通信」であるかどうかを判断して、全てのイーサネット装置５の通信状態が「非通信」である場合に、無線端末アダプタ４とサーバ１との間の無線回線を切断する処理を行う通信システムとしているので、サーバ１との通信が完了した場合には、イーサネット装置５側から回線切断用アドレスを送信することにより、無通信時間タイマによる無駄な待ち時間を無くして迅速に無線回線を切断することができ、無線回線を効率的に利用することができ、また、同一のサーバ１に複数のイーサネット装置５が接続している場合に、他のイーサネット装置５の通信が意図しないのに切断されてしまうのを防ぐことができる効果がある。
【産業上の利用可能性】
【００６４】
本発明は、通信切断時の処理を迅速に行って無線通信回線を効率的に利用できる通信システムに適している。
【符号の説明】
【００６５】
１...サーバ、  ２...基地局、  ３...無線端末、  ４...無線端末アダプタ、  ５...イーサネット装置、  ３１...アンテナ、  ５１...ハブ、  ４１...制御部、  ４２，４３...入出力部、  ４４...ＲＯＭ部、  ４５...ＲＡＭ部
【図１】
2012186697.tif 000003
【図２】
2012186697.tif 000004
【図３】
2012186697.tif 000005
【図４】
2012186697.tif 000006
【図５】
2012186697.tif 000007
【図６】
2012186697.tif 000008
【図７】
2012186697.tif 000009
【図８】
2012186697.tif 000010
【図９】
2012186697.tif 000011
【図１０】
2012186697.tif 000012